(57)【要約】【課題】本発明は、部品点数の低減及びコスト削減を実現すると共に、記録メディアの反射率の違いによる記録レーザパワーのパワーモニタ信号の変化を防ぎ、記録レーザパワー制御の品質向上を実現した情報記録再生装置を提供することを目的とする。【解決手段】本発明の情報記録再生装置は、異なるレーザ波長を有する複数のレーザ光源の発光パワーをモニタリングする１つの受光素子（４１）の出力信号の信号レベルを可変する信号レベル可変器（４２，４３）を複数個並列接続し、各信号レベル可変器（４２，４３）からの各出力信号を選択して各レーザ光源のパワー制御を行うシステムコントローラ（１８）に出力するために切り換える切換器（４４）を設け、各信号レベル可変器（４２，４３）の信号レベル変化率を可変としたピックアップを具備した。【選択図】        図４
2005032282.tif 000002
【特許請求の範囲】
【請求項１】
使用するレーザ波長が異なる複数の光ディスクに対して情報の書き込み及び読み出しを行う情報記録再生装置において、
異なるレーザ波長を有する複数のレーザ光源の発光パワーをモニタリングする１つの受光素子の出力信号の信号レベルを可変する信号レベル可変器を複数個並列接続し、前記各信号レベル可変器からの各出力信号を選択して前記各レーザ光源のパワー制御を行うシステムコントローラに出力するために切り換える切換器を設け、前記各信号レベル可変器の信号レベル変化率を可変としたピックアップを具備したことを特徴とする情報記録再生装置。
【請求項２】
使用するレーザ波長が異なる少なくとも２つ以上の光ディスクに対して情報の書き込み及び読み出しを行う情報記録再生装置において、
異なるレーザ波長を有する複数のレーザ光源の発光パワーをモニタリングする１つの受光素子の出力信号の信号レベルを順次可変する信号レベル可変器を複数個直列接続し、前記各信号レベル可変器からの各出力信号を選択して前記各レーザ光源のパワー制御を行うシステムコントローラに出力するために切り換える切換器を設け、前記各信号レベル可変器の信号レベル変化率を可変としたピックアップを具備したことを特徴とする情報記録再生装置。
【請求項３】
前記各信号レベル可変器の信号レベル変化率は、前記システムコントローラによって制御される請求項１又は２に記載の情報記録再生装置。
【請求項４】
前記各信号レベル可変器の信号レベル変化率は、前記各光ディスクの各反射率毎に前記システムコントローラによって制御される請求項３記載の情報記録再生装置。
【請求項５】
前記切換器は、前記システムコントローラによって制御される請求項１又は２に記載の情報記録再生装置。
【請求項６】
前記切換器は、前記各光ディスク毎に前記システムコントローラによって制御される請求項５記載の情報記録再生装置。
【請求項７】
前記信号レベル可変器は、可変増幅器又は可変減衰器である請求項１又は２に記載の情報記録再生装置。
【発明の詳細な説明】
【０００１】
【発明の属する技術分野】
本発明は情報記録再生装置に関し、更に詳細には半導体レーザの発光パワーをモニタリングするパワーモニタ回路に関する。
【０００２】
【従来の技術】
【特許文献１】実開平５−６１８２１号公報
半導体レーザは、小型で、かつ少ない駆動電流により高速に変調を行うことが可能なため、さまざまな分野の光源として広く用いられている。しかし、半導体レーザの駆動電流と光出力との関係は、温度により著しく変化するため、光強度を所望の値に設定しようとする場合に、その安定性が問題になる。
【０００３】
この問題を解決するために、特に上記特許文献１に記載されているように、光ディスク装置ではＡＰＣ（Ａｕｔｏｍａｔｉｃ  Ｐｏｗｅｒ  Ｃｏｎｔｒｏｌ）回路を用いて、半導体レーザの光出力を受光素子によりモニタリングし、この受光素子から発生する半導体レーザの光出力に比例した信号と、発光レベル指令信号とが等しくなるように常時半導体レーザの順方向電流を制御している。この技術は、記録再生可能な光ディスク装置であるＣＤ−Ｒ／ＲＷドライブでも利用され、上記の半導体レーザのパワー制御を行っている。
【０００４】
図１１は従来のＣＤ−Ｒ／ＲＷ、ＤＶＤ＋Ｒ／ＲＷ両規格対応ドライブのピックアップモジュール内部にあるパワーモニタ回路の一例を示す構成図である。このピックアップモジュール内のパワーモニタ回路１１０の構成は、光ディスクがＣＤ−Ｒ／ＲＷであった時の半導体レーザのパワーモニタに使う受光素子１１１と、受光素子１１１の出力信号を増幅する増幅器１１２と、光ディスクがＤＶＤ＋Ｒ／ＲＷであった時の半導体レーザのパワーモニタに使う受光素子１１３と、受光素子１１３の出力信号を増幅する増幅器１１４とを含んで構成されている。
【０００５】
図１１に示すパワーモニタ回路１１０から出力されるパワーモニタ信号（ＣＤ用、ＤＶＤ用）は、半導体レーザの光出力に比例しており、パワーモニタ回路１１０は半導体レーザパワーの光出力の値を電圧値でＣＤ−Ｒ／ＲＷ、ＤＶＤ＋Ｒ／ＲＷ両規格対応ドライブ内のシステムコントローラ（図示せず）に出力している。このパワーモニタ信号（ＣＤ用、ＤＶＤ用）の分解能は、半導体レーザの最大光出力値とパワーモニタ回路１１０の動作電圧によって決まる。この分解能とは、半導体レーザの光出力１ｍＷに対するパワーモニタ信号の電圧レベルのことであり、分解能は大きい程良い。また、ＣＤ−Ｒ／ＲＷはＤＶＤ＋Ｒ／ＲＷと比べて記録スピードが速いため、最高速での記録パワーはＤＶＤ＋Ｒ／ＲＷのそれより大きい。このことより、ＣＤ−Ｒ／ＲＷとＤＶＤ＋Ｒ／ＲＷのパワーモニタ信号の分解能が異なることが分かる。
【０００６】
そのために、図１１の増幅器１１２と増幅器１１４は受光素子１１１，１１３からの出力信号を、それぞれの光ディスクの分解能に合うようにパワーモニタ信号をレベル変換している。これらパワーモニタ信号（ＣＤ用、ＤＶＤ用）はシステムコントローラへ出力され、システムコントローラ内でＡ／Ｄ変換が行われ、半導体レーザの光出力のパワー制御が実現される。このように、従来のＣＤ−Ｒ／ＲＷ、ＤＶＤ＋Ｒ／ＲＷ両規格対応ドライブは、受光素子１１１，１１３のように半導体レーザの光出力をモニタリングするために２個の受光素子を用いていた。
【０００７】
また、ＣＤ−Ｒ／ＲＷドライブは、現在パソコンの標準装備化が進み、最も一般的なＯＳであるマイクロソフト社のＷｉｎｄｏｗｓ（登録商標）上でもＣＤ−Ｒ／ＲＷへの記録が可能になり、ＣＤ−Ｒ／ＲＷドライブはユーザにとって一般的なものになっている。更に、性能面では技術の進歩によりＣＤ−Ｒ／ＲＷへの記録再生スピードの高速化が進んでいる。そして、ＣＤ−Ｒ／ＲＷの記録速度の高速化により、半導体レーザの光出力の高出力化が必要となり、これにより現在のＣＤ−Ｒ／ＲＷドライブの半導体レーザの出力は増大している。
【０００８】
最近、これらＣＤ−Ｒ／ＲＷドライブの中に新しい記録メディアの規格であるＤＶＤ−ＲＯＭ系の大容量記録メディアへの記録も可能なドライブが出てきている。ＤＶＤ−ＲＯＭ系の記録メディアの規格は、ＤＶＤ−ＲＡＭ、ＤＶＤ＋Ｒ／ＲＷ、ＤＶＤ−Ｒ／ＲＷといった規格が各社から出ており、ＣＤ−Ｒ／ＲＷといったＣＤ−ＲＯＭ系の記録メディアの規格より大容量の記録、例えばＣＤ−Ｒ／ＲＷは６５０ＭＢ、ＤＶＤ−ＲＡＭ、ＤＶＤ＋Ｒ／ＲＷやＤＶＤ−Ｒ／ＲＷは４．７ＧＢの記録が可能である。
【０００９】
また、ＤＶＤ−ＲＡＭ、ＤＶＤ＋Ｒ／ＲＷ、ＤＶＤ−Ｒ／ＲＷ（以下ＤＶＤ記録規格と呼ぶ）は最近開発されたばかりと言うこともあり、記録スピードの高速化が進んでいるＣＤ−Ｒ／ＲＷと比べて、非常に低速で、半導体レーザの記録パワーも低出力である。
【００１０】
現在商品化されているこのようなＣＤ−Ｒ／ＲＷ＋ＤＶＤ記録規格ドライブは、ＣＤ−Ｒ／ＲＷ用とＤＶＤ記録規格用の半導体レーザをそれぞれ持っている。これは、ＣＤ−Ｒ／ＲＷ用とＤＶＤ記録規格用では、半導体レーザの波長が異なるためである。また、これら各半導体レーザの光出力モニタ用の受光素子も、それぞれＣＤ−Ｒ／ＲＷ用とＤＶＤ記録規格用の２種類持っており、これら受光素子の出力信号を処理する回路も異なる。これは、ＣＤ−Ｒ／ＲＷとＤＶＤ記録規格の記録パワーの違いから来るもので、ドライブ内にある受光素子の動作電圧と半導体レーザの光出力から決まる半導体レーザパワーのモニタ回路の分解能が異なるためである。
【００１１】
【発明が解決しようとする課題】
上述したように、図１１に示した従来のＣＤ−Ｒ／ＲＷ＋ＤＶＤ記録規格ドライブは次のような３つの問題があった。先ず、１つ目は、図１１のように、ＣＤ−Ｒ／ＲＷ＋ＤＶＤ記録規格ドライブは、その光出力をモニタリングするために２種類の受光素子を必要とするために、部品点数が多くなり、コスト的にも高くなるといった問題がある。２つ目は、図１１の増幅器１１２，１１４は固定ゲインとなっていることである。ＣＤ−Ｒ，ＣＤ−ＲＷといったＣＤ規格の光ディスクの記録時、記録パワーのモニタは図１１の増幅器１１２の出力信号によって実現される。増幅器１１２の入力である受光素子１１１の出力信号は記録時の光ディスクの反射光量に比例する。ここで、追記型記録ディスクであるＣＤ−Ｒの反射率は規格化されているが、実際的にはＣＤ−Ｒの構成材料の違いにより各社光ディスクメーカが生産しているＣＤ−Ｒはメーカ間で反射率が多少異なる。また、相変化型記録ディスクであるＣＤ−ＲＷの反射率も規定化されているが、上述したようにＣＤ−Ｒのときと同様、各メーカ間で反射率が多少異なる。このことはＤＶＤ記録規格においても同様のことが言える。
【００１２】
ＤＶＤ記録規格の追記型記録ディスクの反射率も規格化されているが、ディスクメーカ間で多少反射率が異なる。相変化型記録ディスクの反射率も規格となっているが、ディスクメーカ間で多少反射率が異なる。このことは、図１１の増幅器１１２，１１４が固定ゲインである図１１の従来例では、発光している記録レーザパワーが同じであっても、反射率の異なる光ディスク毎に記録レーザパワーのパワーモニタ信号が異なることを意味する。記録レーザパワーの制御は、パワーモニタ信号に基づいて行うものであるが、このパワーモニタ信号が記録メディアの反射率により異なってしまうために、正確なパワー制御が行えなくなる問題がある。
【００１３】
３つ目は、図１１から出力されるパワーモニタ信号が別々で出力されていることである。現行のＣＤ−Ｒ／ＲＷ＋ＤＶＤ記録規格ドライブで述べると、ＣＤ−Ｒ／ＲＷ系のモニタ信号線がまず一つシステムコントローラに接続し、ＤＶＤ記録系のパワーモニタ信号線がまた別にシステムコントローラに接続している。これは、システムコントローラに高価なＡ／ＤコンバータをＣＤ−Ｒ／ＲＷ系用、ＤＶＤ記録系用それぞれ用意しなければならないことを意味し、コスト面での問題がある。
【００１４】
本発明はこれらの問題点を解決するためのものであり、従来ＣＤ−Ｒ／ＲＷ用とＤＶＤ記録規格用に専用の受光素子を備えて半導体レーザのパワーモニタを行っていたのを、１個の受光素子で共用することにより、部品点数の低減及びコスト削減を実現すると共に、パワーモニタ信号の信号レベル可変処理を施す信号レベル可変器における記録メディアによって信号レベル変化率を可変させることにより、記録メディアの反射率の違いによる記録レーザパワーのパワーモニタ信号の変化を防ぎ、記録レーザパワー制御の品質向上を実現し、更に切換器を導入し、システムコントローラに接続するパワーモニタ信号線を一つにし、システムコントローラに接続するパワーモニタ信号線を減らすことで、Ａ／Ｄコンバータの数を減らしコスト削減を実現した情報記録再生装置を提供することを目的とする。
【００１５】
【課題を解決するための手段】
本発明はかかる課題を解決するために、本発明の情報記録再生装置は、使用するレーザ波長が異なる複数の光ディスクに対して情報の書き込み及び読み出しを行う。そして、本発明の情報記録再生装置は、異なるレーザ波長を有する複数のレーザ光源の発光パワーをモニタリングする１つの受光素子の出力信号の信号レベルを可変する信号レベル可変器を複数個並列接続し、更に各信号レベル可変器からの各出力信号を選択して各レーザ光源のパワー制御を行うシステムコントローラに出力するために切り換える切換器を設け、各信号レベル可変器の信号レベル変化率を可変としたピックアップを具備したことに特徴がある。よって、１個の受光素子で共用することにより部品点数の低減及びコスト削減を実現でき、パワーモニタ信号の変化を防ぎ、記録レーザパワー制御の品質向上を実現でき、更に切換器を設け、システムコントローラに接続するパワーモニタ信号線を一つにしてＡ／Ｄコンバータの数を減らしコスト削減を実現できる。
【００１６】
また、別の発明のとしての情報記録再生装置は、異なるレーザ波長を有する複数のレーザ光源の発光パワーをモニタリングする１つの受光素子の出力信号の信号レベルを順次可変する信号レベル可変器を複数個直列接続し、各信号レベル可変器からの各出力信号を選択して各レーザ光源のパワー制御を行うシステムコントローラに出力するために切り換える切換器を設け、更に各信号レベル可変器の信号レベル変化率を可変としたピックアップを具備したことに特徴がある。よって、１個の受光素子で共用することにより部品点数の低減及びコスト削減を実現でき、パワーモニタ信号の変化を防ぎ、記録レーザパワー制御の品質向上を実現でき、更に切換器を設け、システムコントローラに接続するパワーモニタ信号線を一つにしてＡ／Ｄコンバータの数を減らしコスト削減を実現できる。
【００１７】
更に、各信号レベル可変器の信号レベル変化率は、システムコントローラによって制御されることにより、正確にレーザ光源のパワー制御が可能となる。
【００１８】
また、各信号レベル可変器の信号レベル変化率は、各光ディスクの各反射率毎にシステムコントローラによって制御されることにより、光ディスクの反射率の違いによる影響を補正した最適なモニタ信号レベルにシフトすることができ、より一層正確にレーザ光源のパワー制御が可能となる。
【００１９】
更に、切換器は、システムコントローラによって制御されることにより、出力されるモニタ信号をシステムコントローラからの制御信号で制御することができ、システムコントローラへの接続を減らすことが可能となりコスト削減が実現できる。
【００２０】
また、切換器は、各光ディスク毎にシステムコントローラによって制御されることにより、出力されるモニタ信号をシステムコントローラからの制御信号で光ディスク毎に制御することができ、精度の高いパワー制御とコスト削減が実現できる。
【００２１】
更に、信号レベル可変器は可変増幅器又は可変減衰器であることが好ましい。
【００２２】
【発明の実施の形態】
本発明の情報記録再生装置は、異なるレーザ波長を有する複数のレーザ光源の発光パワーをモニタリングする１つの受光素子の出力信号の信号レベルを可変する信号レベル可変器を複数個並列接続し、更に各信号レベル可変器からの各出力信号を選択して各レーザ光源のパワー制御を行うシステムコントローラに出力するために切り換える切換器を設け、各信号レベル可変器の信号レベル変化率を可変としたピックアップを具備している。
【００２３】
【実施例】
図１は本発明の情報記録再生装置の構成を示すブロック図である。同図に示す情報記録再生装置は、ＣＤ−Ｒ／ＲＷドライブとＤＶＤ−ＲＯＭドライブの複合機（コンボドライブ）である。同図において、本発明の情報記録再生装置は、ＣＤもしくはＤＶＤの光ディスク１を回転駆動するスピンドルモータ２と、ＣＬＶ（Ｃｏｎｓｔａｎｔ  Ｌｉｎｅａｒ  Ｖｅｌｏｃｉｔｙ：線速一定）もしくはＣＡＶ（Ｃｏｎｓｔａｎｔ  Ａｎｇｕｌａｒ  Ｖｅｌｏｃｉｔｙ：回転数一定）で一定速度になるようにスピンドルモータ２と図示していない光ピックアップのアクチュエータを駆動制御するモータドライバ３と、このモータドライバ３にサーボ制御のための信号を生成するサーボ処理回路４と、図示しないＣＤ用の半導体レーザ光源とのＤＶＤ用半導体レーザ光源、対物レンズ等の光学系、及びアクチュエータを内蔵した光ピックアップ５と、光ピックアップ５内の図示しない受光素子からの各信号を演算処理するＲＦアンプ６と、レーザ光源の光量等を制御するＬＤドライバ７と、光ディスクに刻まれているＡＴＩＰ（Ａｂｓｏｌｕｔｅ  Ｔｉｍｅ  Ｉｎ  Ｐｒｅｇｒｏｏｖｅ）情報を取り出すＡＴＩＰデコーダ８と、データの正確な書き出し位置を生成するＣＤエンコーダ９と、２値化されたＲＦ信号をＥＦＭ（Ｅｉｇｈｔ  ｔｏ  Ｆｏｕｒｔｅｅｎ  Ｍｏｄｕｌａｔｉｏｎ）変調するＣＤ／ＤＶＤデコーダ１０と、データを一時記憶するバッファＲＡＭ１１と、このバッファＲＡＭ１１を制御するバッファマネージャ１２と、このバッファマネージャ１２に接続され、ＡＴＡＰＩやＳＣＳＩインターフェイスを有するホストインターフェイス（以下ホストＩ／Ｆと略す）１３と、ＣＤ／ＤＶＤデコーダ１０に接続され、オーディオ信号を出力するＤ／Ａコンバータ１４と、エラー訂正コードの不可や、インターリーブ（並べ替え）が行われた後ＥＦＭ変調するＣＤ−ＲＯＭエンコーダ１５と、ＥＦＭ復調されたデータをデインタリーブ（並べ替え直し）とエラー訂正の処理をするＣＤ−ＲＯＭデコーダ１６と、記憶装置１７と、ＣＰＵを内蔵し記憶装置１７に記憶されているプログラムに従って全体の制御を司るシステムコントローラ１８とを含んで構成されている。
【００２４】
次に、このような構成を有する本発明の情報記録再生装置の動作について説明する。ここで、光ディスク１としてＣＤ系（ＣＤ−ＲＯＭ／Ｒ／ＲＷ）の動作の説明を行う。なお、ＤＶＤ系（ＤＶＤ−ＲＯＭ、ＤＶＤ＋Ｒ／ＲＷ）の動作については同じなので省略する。
【００２５】
先ず、ＣＤやＣＤ−ＲＯＭディスクの光ディスク１は、スピンドルモータ２により回転駆動される。スピンドルモータ２はモータドライバ３とサーボ処理回路４によりＣＬＶ（Ｃｏｎｓｔａｎｔ  Ｌｉｎｅａｒ  Ｖｅｌｏｃｉｔｙ：線速一定）もしくはＣＡＶ（Ｃｏｎｓｔａｎｔ  Ａｎｇｕｌａｒ  Ｖｅｌｏｃｉｔｙ：角速一定）で一定速度になるように制御される。また、光ピックアップ５は、図示していないＣＤ系用とＤＶＤ系用の半導体レーザ（Ｌａｓｅｒ  Ｄｉｏｄｅ）をそれぞれ持ち、光学系（レンズ等）、フォーカスアクチュエータ（レーザ光の焦点がディスクに合うようにレンズの位置をディスクと垂直方向に動かす機構）、トラックアクチュエータ（レーザ光の焦点がトラックをトレースするようにディスクの半径方向（スレッジ方向）にレンズを動かす機構）、及び受光素子、ポジションセンサ等と本発明の対象となるパワーモニタ回路を内蔵したもので、レーザ光を光ディスク１に照射する。また、光ピックアップ５全体は、図示していないシークモータによりスレッジ方向に移動可能である。これらフォーカスアクチュエータ、トラックアクチュエータ、シークモータは、受光素子、ポジションセンサから得られたフォーカスエラー信号（ＦＥ）やトラックエラー（ＴＥ）信号などのサーボ信号をもとに、モータドライバ３とサーボ処理回路４によりレーザスポットが目的の場所に位置するよう制御される。
【００２６】
また、データ読み出しの場合、光ピックアップ５で得られた再生信号は、ＲＦアンプ６で増幅され２値化（デジタル化）された後、ＣＤ／ＤＶＤデコーダ１０に入力されＥＦＭ復調される。ＥＦＭ復調されたデータは、デインタリーブ（並べ替え直し）とエラー訂正の処理を受ける。その後、このデータはバッファマネージャ１２により一旦バッファＲＡＭ１１に蓄えられ、セクタデータとしてそろった段階でホストＩ／Ｆ１３を介して、ホストコンピュータに一気に送られる。音楽データの場合は、ＣＤ／ＤＶＤデコーダ１０から出てきたデータは、Ｄ／Ａコンバータ１４に入力され、アナログのオーディオ信号が取り出される。
【００２７】
次に、データ書き込み時は、ホストＩ／Ｆ１３を通しホストコンピュータから送られてきたデータをバッファマネージャ１２により一旦バッファＲＡＭ１１に蓄え、バッファＲＡＭ１１にある程度データが貯まったところで書き込みを開始するが、その前にディスク内周に用意されている記録パワーの構成領域で最適記録パワーの決定が行われる。また、レーザスポットを書き込み開始地点に位置させなければならない。この地点はトラックの蛇行により、あらかじめ光ディスクに刻まれているウォブル（Ｗｏｂｂｌｅ）信号により求められる。ウォブル信号にはＡＴＩＰと呼ばれる絶対時間情報が含まれており、ＡＴＩＰデコーダ８によりこの情報を取り出す。また、ＡＴＩＰデコーダ８が生成する同期信号は、ＣＤエンコーダ９に入力され、正確な位置でのデータの書き出しを可能にしている。また、バッファＲＡＭ１１のデータは、ＣＤ−ＲＯＭエンコーダ１６やＣＤエンコーダ９でエラー訂正コードの付加やインターリーブ（並べ替え）が行われた後、ＥＦＭ変調され、ＬＤドライバ７、光ピックアップ５を介して光ディスク１に記録される。記録は、光ピックアップ５がレーザビームを記録ピームと再生ビーム交互に切り替えて行っている。
【００２８】
図２は、ＣＤ−Ｒ／ＲＷとＤＶＤ＋Ｒ／ＲＷのパワーモニタ信号のレベルと半導体レーザのパワーの関係を示す特性図である。同図で、ＣＤ−Ｒ／ＲＷとＤＶＤ＋Ｒ／ＲＷのパワーモニタ信号のレベルをＶ（ｖ）、半導体レーザのパワーをＰｗ（ｍＷ）で表わしている。ここで、ＣＤ−Ｒ／ＲＷとＤＶＤ＋Ｒ／ＲＷの最高記録速度がそれぞれ３２倍速、２．４倍速のドライブで、最高記録速度時の記録パワーが６０ｍＷ、２０ｍＷであり、パワーモニタ回路の動作電圧が５ｖの場合の例である。この図から、ＣＤ−Ｒ／ＲＷの特性において、パワーモニタ回路の動作電圧が５ｖになる点ｂが６０ｍＷを示し、ＤＶＤ＋Ｒ／ＲＷの特性において、パワーモニタ回路の動作電圧が５ｖになる点ａが２０ｍＷを示し、例えば、１ｍＷでのパワーモニタ信号は、ＣＤ−Ｒ／ＲＷの場合、Ｂとなり、ＤＶＤ＋Ｒ／ＲＷの場合、Ａとなり分解能が異なることが分かる。
【００２９】
また、上述したように、同じディスク規格であっても、構成材料の違いにより反射率が異なる。例えば、同じＣＤ−Ｒであっても、メーカ間で構成材料が異なることによって若干反射率が異なる。このことは、記録レーザパワーのモニタ信号のレベルが異なることを意味し、このことによってモニタ信号を基に行うレーザパワー制御が正確に行えなくなる。
【００３０】
具体的には、図３に、反射率の異なる３種類の光ディスクによるモニタ信号レベル（Ｖ）と発光レーザパワー（ｍＷ）との関係が特性図として示されている。ここで、直線ａで示されているように、システムにセットされている発光レーザパワーがＸであるときモニタ信号レベルはＡである。これに対して、直線ｂで示されるように高反射率の光ディスクを用いた場合、発光レーザパワーがＹ（低パワー）でしか光っていないにもかかわらず、モニタ信号レベルはＡと出力される。このことは、反射率の違いによって正しくレーザパワーのモニタが行えなくなることを意味する。
【００３１】
図４は、本発明の第１の実施例に係るパワーモニタ回路の回路図である。同図に示すように、本実施例のパワーモニタ回路４０は、ＣＤ−Ｒ／ＲＷとＤＶＤ＋Ｒ／ＲＷ共通で使用する半導体光出力をモニタリングするための受光素子４１と、この受光素子４１の出力を増幅し、ＣＤ−Ｒ／ＲＷ用の分解能にパワーモニタ信号をレベルシフトするための可変増幅器４２と、受光素子４１の出力を増幅し、ＤＶＤ＋Ｒ／ＲＷ用の分解能にパワーモニタ信号をレベルシフトするための可変増幅器４３と、これら可変増幅器４２，４３の出力信号を選択可能なスイッチ４４とを含んで構成されている。本実施例のパワーモニタ回路４０では、受光素子４１の出力端子に可変増幅器４２，４３の各入力端子が並列接続されている。
【００３２】
これらの可変増幅器４２，４３からの出力信号（パワーモニタ信号）は、ドライブ内の図１のシステムコントローラ１８に出力される。システムコントローラ１８はユーザがＣＤ−Ｒ／ＲＷを使用している場合には、スイッチ４４の制御を可変増幅器４２の出力に選択し、可変増幅器４２の出力信号を取得する。可変増幅器４２の出力経路はＣＤ−Ｒ／ＲＷ用のパワーモニタ信号を生成する経路であり、ここで受光素子４１の出力信号は可変増幅器４２に入力され増幅された後、パワーモニタ回路４０から出力される。システムコントローラ１８はこの出力信号であるパワーモニタ信号を使ってＣＤ−Ｒ／ＲＷ使用時の半導体レーザのパワー制御を行う。この際、システムコントローラ１８は、使用している光ディスクの構成材料が高反射率の場合、可変増幅器４２の増幅率（ゲイン）を下げるようにゲインコントローラ信号を生成出力する。また、使用している光ディスクが低反射率の場合、可変増幅器４２の増幅率（ゲイン）を上げるようにゲインコントローラ信号を生成出力する。
【００３３】
一方、ユーザがＤＶＤ＋Ｒ／ＲＷを使用している場合には、システムコントローラ１８はスイッチ４４の制御を可変増幅器４３の出力に選択し、可変増幅器４３の出力信号を取得する。可変増幅器４３の出力経路はＤＶＤ＋Ｒ／ＲＷ用のパワーモニタ信号を生成する経路であり、ここで受光素子４１の出力信号は可変増幅器４３に入力され増幅された後、パワーモニタ回路４０から出力される。ＣＤ−Ｒ／ＲＷ使用時と同様に、システムコントローラ１８はこの出力信号であるパワーモニタ信号を使ってＤＶＤ＋Ｒ／ＲＷ使用時の半導体レーザのパワー制御を行う。この際、システムコントローラ１８は、使用している光ディスクの構成材料が高反射率の場合、可変増幅器４３の増幅率（ゲイン）を下げるようにゲインコントローラ信号を生成出力する。また、使用している光ディスクが低反射率の場合、可変増幅器４３の増幅率（ゲイン）を上げるようにゲインコントローラ信号を生成出力する。
【００３４】
以上説明したように、受光素子には波長特性と感度特性があり、それぞれ個々に少しずつ異なる特性を持っているため、それを回路に組み込んでレーザパワーのモニタ用に使用する場合、周辺の可変増幅器によりトータルの特性が合うように補正される。つまり、１つの受光素子により異なる波長のレーザ光を受光する場合、同じパワーであっても、波長によりその出力レベルが若干異なる。このレベル差は予め確認しておけば、その分可変増幅器で補正することにより正しいレベルをモニタすることができる。よって、１個の受光素子４１のパワーモニタ回路４０で、システムコントローラ１８内の１個のＡ／Ｄコンバータで、光ディスクの反射率の影響を補正し、正確な半導体レーザのパワー制御を実現することができる。
【００３５】
図５は、本発明の第２の実施例に係るパワーモニタ回路の回路図である。同図に示すように、本実施例のパワーモニタ回路５０は、ＣＤ−Ｒ／ＲＷとＤＶＤ＋Ｒ／ＲＷ共通で使用する半導体光出力をモニタリングするための受光素子５１と、この受光素子５１の出力を増幅し、ＣＤ−Ｒ／ＲＷ用の分解能にパワーモニタ信号をレベルシフトするための可変増幅器５２と、この可変増幅器５２の出力信号をＤＶＤ＋Ｒ／ＲＷ用の分解能にレベルシフトするための可変増幅器５３と、可変増幅器５２の出力信号をそのまま出力する経路と可変増幅器５３の出力信号を出力する経路とを選択可能なスイッチ５４とを含んで構成されている。本実施例のパワーモニタ回路５０では、受光素子５１の出力端子に可変増幅器５２の入力端子が接続され、可変増幅器５２の出力端子に可変増幅器５３の入力端子が接続されているように、受光素子５１の出力端子に可変増幅器５２，５３が直列接続されている。
【００３６】
図１のシステムコントローラ１８は、ユーザがＣＤ−Ｒ／ＲＷを使用している場合には、スイッチ５４の制御を可変増幅器５２の出力信号をそのまま出力する経路に選択し、可変増幅器５２の出力信号を取得する。可変増幅器５２の出力信号はＣＤ−Ｒ／ＲＷ用のパワーモニタ信号であり、可変増幅器５２でＣＤ−Ｒ／ＲＷ用の分解能に合った信号レベルに増幅された、受光素子５１からの出力信号は、そのままパワーモニタ回路５０から出力される。システムコントローラ１８はこの出力信号であるパワーモニタ信号を使って、ＣＤ−Ｒ／ＲＷ使用時の半導体レーザのパワー制御を行う。この際、システムコントローラ１８は、使用している光ディスクの構成材料が高反射率の場合、可変増幅器５２の増幅率（ゲイン）を下げるようにゲインコントロール信号を生成出力する。また、使用している光ディスクが低反射率の場合、可変増幅器５２の増幅率（ゲイン）を上げるようにゲインコントローラ信号を生成出力する。
【００３７】
一方、ユーザがＤＶＤ＋Ｒ／ＲＷを使用している場合には、システムコントローラ１８は、スイッチ５４の制御を可変増幅器５３の出力信号を出力する経路に選択し、可変増幅器５３の出力信号を取得する。可変増幅器５３の出力信号はＤＶＤ＋Ｒ／ＲＷ用のモニタ信号であり、可変増幅器５２の出力信号はＤＶＤ＋Ｒ／ＲＷ用の分解能に合った信号レベルに可変増幅器５３で増幅された後、パワーモニタ回路５０から出力される。ＣＤ−Ｒ／ＲＷ使用時と同様にシステムコントローラ１８は、この出力信号であるパワーモニタ信号を使ってＤＶＤ＋Ｒ／ＲＷ使用時の半導体レーザのパワー制御を行う。この際、システムコントローラ１８は、使用している光ディスクの構成材料が高反射率の場合、可変増幅器５３の増幅率を下げるようにゲインコントローラ信号を生成出力する。また、使用している光ディスクが低反射率の場合、可変増幅器５３の増幅率を上げるようにゲインコントローラ信号を生成出力する。
【００３８】
以上説明したように、１個の受光素子５１のパワーモニタ回路５０とシステムコントローラ１８内の１個のＡ／Ｄコンバータで、光ディスクの反射率の影響を補正し、正確な半導体レーザのパワー制御を実現することができる。
【００３９】
図６は、本発明の第３の実施例に係るパワーモニタ回路の回路図である。同図に示すように、本実施例のパワーモニタ回路６０は、ＣＤ−Ｒ／ＲＷとＤＶＤ＋Ｒ／ＲＷ共通で使用する半導体光出力をモニタリングするための受光素子６１と、この受光素子６１の出力を減衰し、ＣＤ−Ｒ／ＲＷ用の分解能にパワーモニタ信号をレベルシフトするための可変減衰器６２と、受光素子６１の出力を減衰し、ＤＶＤ＋Ｒ／ＲＷ用の分解能にモニタ信号をレベルシフトするための可変減衰器６３と、これら可変減衰器６２，６３の出力信号を選択可能なスイッチ６４とを含んで構成されている。本実施例のパワーモニタ回路６０では、受光素子６１の出力端子に可変減衰器６２，６３の各入力端子が並列接続されている。
【００４０】
これらの可変減衰器６２，６３からの出力信号（パワーモニタ信号）は、ドライブ内の図１のシステムコントローラ１８に出力される。システムコントローラ１８はユーザがＣＤ−Ｒ／ＲＷを使用している場合には、スイッチ６４の制御を可変減衰器６２の出力に選択し、可変減衰器６２の出力信号を取得する。可変減衰器６２の出力経路はＣＤ−Ｒ／ＲＷ用のパワーモニタ信号を生成する経路であり、ここで受光素子６１の出力信号は可変減衰器６２に入力され減衰された後、パワーモニタ回路６０から出力される。システムコントローラ１８はこの出力信号であるパワーモニタ信号を使ってＣＤ−Ｒ／ＲＷ使用時の半導体レーザのパワー制御を行う。この際、システムコントローラ１８は、使用している光ディスクの構成材料が高反射率の場合、可変減衰器６２の減衰率を上げるようにゲインコントローラ信号を生成出力する。また、使用している光ディスクが低反射率の場合、可変減衰器６２の減衰率を下げるようにゲインコントローラ信号を生成出力する。
【００４１】
一方、ユーザがＤＶＤ＋Ｒ／ＲＷを使用している場合には、システムコントローラ１８はスイッチ６４の制御を可変減衰器６３の出力に選択し、可変減衰器６３の出力信号を取得する。可変減衰器６３の出力経路はＤＶＤ＋Ｒ／ＲＷ用のパワーモニタ信号を生成する経路であり、ここで受光素子６１の出力信号は可変減衰器６３に入力され減衰された後、パワーモニタ回路６０から出力される。ＣＤ−Ｒ／ＲＷ使用時と同様に、システムコントローラ１８はこの出力信号であるパワーモニタ信号を使ってＤＶＤ＋Ｒ／ＲＷ使用時の半導体レーザのパワー制御を行う。この際、システムコントローラ１８は、使用している光ディスクの構成材料が高反射率の場合、可変減衰器６３の減衰率を上げるようにゲインコントローラ信号を生成出力する。また、使用している光ディスクが低反射率の場合、可変減衰器６３の減衰率を下げるようにゲインコントローラ信号を生成出力する。
【００４２】
以上説明したように、１個の受光素子６１のパワーモニタ回路６０で、システムコントローラ１８内の１個のＡ／Ｄコンバータで、光ディスクの反射率の影響を補正し、正確な半導体レーザのパワー制御を実現することができる。
【００４３】
図７は、本発明の第４の実施例に係るパワーモニタ回路の回路図である。同図に示すように、本実施例のパワーモニタ回路７０は、ＣＤ−Ｒ／ＲＷとＤＶＤ＋Ｒ／ＲＷ共通で使用する半導体光出力をモニタするための受光素子７１と、この受光素子７１の出力を減衰し、ＤＶＤ＋Ｒ／ＲＷ用の分解能にモニタ信号をレベルシフトするための可変減衰器７２と、可変減衰器７２の出力信号をＣＤ−Ｒ／ＲＷ用の分解能にレベルシフトするための可変減衰器７３と、可変減衰器７２の出力信号をそのまま出力する経路と可変減衰器７３の出力信号を出力する経路とを選択可能なスイッチ７４とを含んで構成されている。本実施例のパワーモニタ回路７０では、受光素子７１の出力端子に可変減衰器７２の入力端子が接続され、可変減衰器７２の出力端子に可変減衰器７３の入力端子が接続されているように、受光素子７１の出力端子に可変減衰器７２，７３が直列接続されている。
【００４４】
図１のシステムコントローラ１８は、ユーザがＤＶＤ＋Ｒ／ＲＷを使用している場合には、スイッチ７４の制御を可変減衰器７２の出力信号をそのまま出力する経路に選択し、可変減衰器７２の出力信号を取得する。可変減衰器７２の出力信号はＤＶＤ＋Ｒ／ＲＷ用のパワーモニタ信号であり、可変減衰器７２でＤＶＤ＋Ｒ／ＲＷ用の分解能に合った信号レベルに減衰された、受光素子７１からの出力信号は、そのままパワーモニタ回路７０から出力される。システムコントローラ１８はこの出力信号であるパワーモニタ信号を使って、ＤＶＤ＋Ｒ／ＲＷ使用時の半導体レーザのパワー制御を行う。この際、システムコントローラ１８は、使用している光ディスクの構成材料が高反射率の場合、可変減衰器７２の減衰率を上げるようにゲインコントローラ信号を生成出力する。また、使用している光ディスクが低反射率の場合、可変減衰器７２の減衰率を下げるようにゲインコントローラ信号を生成出力する。
【００４５】
一方、ユーザがＣＤ−Ｒ／ＲＷを使用している場合には、システムコントローラ１８は、スイッチ７４の制御を可変減衰器７３の出力信号を出力する経路に選択し、可変減衰器７３の出力信号を取得する。可変減衰器７３の出力信号はＣＤ−Ｒ／ＲＷ用のパワーモニタ信号であり、可変減衰器７２の出力信号はＣＤ−Ｒ／ＲＷ用の分解能に合った信号レベルに可変減衰器７３で減衰された後、パワーモニタ回路７０から出力される。ＤＶＤ＋Ｒ／ＲＷ使用時と同様にシステムコントローラ１８は、この出力信号であるパワーモニタ信号を使ってＣＤ−Ｒ／ＲＷ使用時の半導体レーザのパワー制御を行う。この際、システムコントローラ１８は、使用している光ディスクの構成材料が高反射率の場合、可変減衰器７３の減衰率を上げるようにゲインコントローラ信号を生成出力する。また、使用している光ディスクが低反射率の場合、可変減衰器７３の減衰率を下げるようにゲインコントローラ信号を生成出力する。
【００４６】
以上説明したように、１個の受光素子７１のパワーモニタ回路７０とシステムコントローラ１８内の１個のＡ／Ｄコンバータで、光ディスクの反射率の影響を補正し、正確な半導体レーザのパワー制御を実現することができる。
【００４７】
図８は、本発明の第５の実施例に係るパワーモニタ回路の回路図である。同図に示すように、本実施例のパワーモニタ回路８０は、ＣＤ−Ｒ／ＲＷとＤＶＤ＋Ｒ／ＲＷ共通で使用する半導体光出力をモニタリングするための受光素子８１と、この受光素子８１の出力を増幅し、ＤＶＤ＋Ｒ／ＲＷ用の分解能にパワーモニタ信号をレベルシフトするための可変増幅器８２と、受光素子８１の出力を増幅し、ＣＤ−Ｒ／ＲＷ用の分解能にレベルシフトするための可変減衰器８３と、可変増幅器８２の出力信号をそのまま出力する経路と可変減衰器８３の出力信号を出力する経路を選択可能なスイッチ８４とを含んで構成されている。本実施例のパワーモニタ回路８０では、受光素子８１の出力端子に可変増幅器８２，可変減衰器８３の各入力端子が並列接続されている。
【００４８】
図１のシステムコントローラ１８は、ユーザがＤＶＤ＋Ｒ／ＲＷを使用している場合には、スイッチ８４の制御を可変増幅器８２の出力信号をそのまま出力する経路に選択し、可変増幅器８２の出力信号を取得する。可変増幅器８２の出力信号はＤＶＤ＋Ｒ／ＲＷ用のパワーモニタ信号であり、可変増幅器８２でＤＶＤ＋Ｒ／ＲＷ用の分解能に合った信号レベルに増幅された、受光素子８１からの出力信号は、そのままパワーモニタ回路８０から出力される。システムコントローラ１８はこの出力信号であるパワーモニタ信号を使って、ＤＶＤ＋Ｒ／ＲＷ使用時の半導体レーザのパワー制御を行う。この際、システムコントローラ１８は、使用している光ディスクの構成材料が高反射率の場合、可変増幅器８２の増幅率を下げるようにゲインコントローラ信号を生成出力する。また、使用している光ディスクが低反射率の場合、可変増幅器８２の増幅率を上げるようにゲインコントローラ信号を生成出力する。
【００４９】
一方、ユーザがＣＤ−Ｒ／ＲＷを使用している場合には、システムコントローラ１８は、スイッチ８４の制御を可変減衰器８３の出力信号を出力する経路に選択し、可変減衰器８３の出力信号を取得する。可変減衰器８３の出力信号はＣＤ−Ｒ／ＲＷ用のパワーモニタ信号であり、可変減衰器８３の出力信号はＣＤ−Ｒ／ＲＷ用の分解能に合った信号レベルに可変減衰器８３で減衰された後、パワーモニタ回路８０から出力される。ＤＶＤ＋Ｒ／ＲＷ使用時と同様にシステムコントローラ１８は、この出力信号であるパワーモニタ信号を使ってＣＤ−Ｒ／ＲＷ使用時の半導体レーザのパワー制御を行う。この際、システムコントローラ１８は、使用している光ディスクの構成材料が高反射率の場合、可変減衰器８３の減衰率を上げるようにゲインコントローラ信号を生成出力する。また、使用している光ディスクが低反射率の場合、可変減衰器８３の減衰率を下げるようにゲインコントローラ信号を生成出力する。
【００５０】
以上説明したように、１個の受光素子８１のパワーモニタ回路８０とシステムコントローラ１８内の１個のＡ／Ｄコンバータで、光ディスクの反射率の影響を補正し、正確な半導体レーザのパワー制御を実現することができる。
【００５１】
図９は、本発明の第６の実施例に係るパワーモニタ回路の回路図である。同図に示すように、本実施例のパワーモニタ回路９０は、ＣＤ−Ｒ／ＲＷとＤＶＤ＋Ｒ／ＲＷ共通で使用する半導体光出力をモニタリングするための受光素子９１と、この受光素子９１の出力を減衰し、ＤＶＤ＋Ｒ／ＲＷ用の分解能にモニタ信号をレベルシフトするための可変増幅器９２と、ＣＤ−Ｒ／ＲＷ用の分解能にパワーモニタ信号をレベルシフトするための可変減衰器９３と、これら可変増幅器９２，可変減衰器９３の出力信号を選択可能なスイッチ９４とを含んで構成されている。本実施例のパワーモニタ回路９０では、受光素子９１の出力端子に可変増幅器９２の入力端子が接続され、可変増幅器９２の出力端子に可変減衰器９３の入力端子が接続されているように、受光素子９１の出力端子に可変増幅器９２，可変減衰器９３が直列接続されている。
【００５２】
これらの可変増幅器９２と可変減衰器９３からの出力信号（パワーモニタ信号）は、ドライブ内の図１のシステムコントローラ１８に出力される。システムコントローラ１８は、ユーザがＣＤ−Ｒ／ＲＷを使用している場合には、スイッチ９４の制御を可変減衰器９３の出力に選択し、可変減衰器９３の出力信号を取得する。可変減衰器９３の出力経路はＣＤ−Ｒ／ＲＷ用のパワーモニタ信号を生成する経路であり、ここで受光素子９１の出力信号は可変減衰器９３に入力され減衰された後、パワーモニタ回路９０から出力される。システムコントローラ１８はこの出力信号であるパワーモニタ信号を使ってＣＤ−Ｒ／ＲＷ使用時の半導体レーザのパワー制御を行う。この際、システムコントローラ１８は、使用している光ディスクの構成材料が高反射率の場合、可変減衰器９３の減衰率を上げるようにゲインコントローラ信号を生成出力する。また、使用している光ディスクが低反射率の場合、可変減衰器９３の減衰率を下げるようにゲインコントローラ信号を生成出力する。
【００５３】
一方、ユーザがＤＶＤ＋Ｒ／ＲＷを使用している場合には、システムコントローラ１８はスイッチ９４の制御を可変増幅器９２の出力に選択し、可変増幅器９２の出力信号を取得する。可変増幅器９２の出力経路はＤＶＤ＋Ｒ／ＲＷ用のパワーモニタ信号を生成する経路であり、ここで受光素子９１の出力信号は可変増幅器９２に入力され増幅された後、パワーモニタ回路９０から出力される。ＣＤ−Ｒ／ＲＷ使用時と同様に、システムコントローラ１８はこの出力信号であるパワーモニタ信号を使ってＤＶＤ＋Ｒ／ＲＷ使用時の半導体レーザのパワー制御を行う。この際、システムコントローラ１８は、使用している光ディスクの構成材料が高反射率の場合、可変増幅器９２の増幅率を下げるようにゲインコントローラ信号を生成出力する。また、使用している光ディスクが低反射率の場合、可変増幅器９２の増幅率を上げるようにゲインコントローラ信号を生成出力する。
【００５４】
以上説明したように、１個の受光素子９１のパワーモニタ回路９０で、システムコントローラ１８内の１個のＡ／Ｄコンバータで、光ディスクの反射率の影響を補正し、正確な半導体レーザのパワー制御を実現することができる。
【００５５】
なお、上記各実施例では２つの異なるレーザ波長を有する半導体レーザにおける構成であったがこれに限定するものではなく、第６の実施例における他例の構成を示す図１０の（ａ）のように、３つの異なるレーザ波長を有する半導体レーザであっても半導体レーザの各特性等に対応させて可変増幅器又は可変減衰器を任意に組み合わせて３つ設けて各実施例を構成することは可能であり、当然４つ以上であっても同様に構成することは可能である。また、各実施例を組み合わせて、例えば図１０の（ｂ）のように構成することも可能である。
【００５６】
また、本発明は上記実施例に限定されるものではなく、特許請求の範囲内の記載であれば多種の変形や置換可能であることは言うまでもない。
【００５７】
【発明の効果】
以上説明したように、本発明の情報記録再生装置は、使用するレーザ波長が異なる複数の光ディスクに対して情報の書き込み及び読み出しを行う。そして、本発明の情報記録再生装置は、異なるレーザ波長を有する複数のレーザ光源の発光パワーをモニタリングする１つの受光素子の出力信号の信号レベルを可変する信号レベル可変器を複数個並列接続し、更に各信号レベル可変器からの各出力信号を選択して各レーザ光源のパワー制御を行うシステムコントローラに出力するために切り換える切換器を設け、各信号レベル可変器の信号レベル変化率を可変としたピックアップを具備したことに特徴がある。よって、１個の受光素子で共用することにより部品点数の低減及びコスト削減を実現でき、パワーモニタ信号の変化を防ぎ、記録レーザパワー制御の品質向上を実現でき、更に切換器を設け、システムコントローラに接続するパワーモニタ信号線を一つにしてＡ／Ｄコンバータの数を減らしコスト削減を実現できる。
【００５８】
また、別の発明のとしての情報記録再生装置は、異なるレーザ波長を有する複数のレーザ光源の発光パワーをモニタリングする１つの受光素子の出力信号の信号レベルを順次可変する信号レベル可変器を複数個直列接続し、各信号レベル可変器からの各出力信号を選択して各レーザ光源のパワー制御を行うシステムコントローラに出力するために切り換える切換器を設け、更に各信号レベル可変器の信号レベル変化率を可変としたピックアップを具備したことに特徴がある。よって、１個の受光素子で共用することにより部品点数の低減及びコスト削減を実現でき、パワーモニタ信号の変化を防ぎ、記録レーザパワー制御の品質向上を実現でき、更に切換器を設け、システムコントローラに接続するパワーモニタ信号線を一つにしてＡ／Ｄコンバータの数を減らしコスト削減を実現できる。
【００５９】
更に、各信号レベル可変器の信号レベル変化率は、システムコントローラによって制御されることにより、正確にレーザ光源のパワー制御が可能となる。
【００６０】
また、各信号レベル可変器の信号レベル変化率は、各光ディスクの各反射率毎にシステムコントローラによって制御されることにより、光ディスクの反射率の違いによる影響を補正した最適なモニタ信号レベルにシフトすることができ、より一層正確にレーザ光源のパワー制御が可能となる。
【００６１】
更に、切換器は、システムコントローラによって制御されることにより、出力されるモニタ信号をシステムコントローラからの制御信号で制御することができ、システムコントローラへの接続を減らすことが可能となりコスト削減が実現できる。
【００６２】
また、切換器は、各光ディスク毎にシステムコントローラによって制御されることにより、出力されるモニタ信号をシステムコントローラからの制御信号で光ディスク毎に制御することができ、精度の高いパワー制御とコスト削減が実現できる。
【００６３】
更に、信号レベル可変器は可変増幅器又は可変減衰器であることが好ましい。
【図面の簡単な説明】
【図１】本発明の情報記録再生装置の構成を示すブロック図である。
【図２】ＣＤ−Ｒ／ＲＷとＤＶＤ＋Ｒ／ＲＷのパワーモニタ信号のレベルと半導体レーザのパワーの関係を示す特性図である。
【図３】反射率の異なる３種類の光ディスクによるモニタ信号レベルと発光レーザパワーとの関係を示す特性図である。
【図４】本発明の第１の実施例に係るパワーモニタ回路の回路図である。
【図５】本発明の第２の実施例に係るパワーモニタ回路の回路図である。
【図６】本発明の第３の実施例に係るパワーモニタ回路の回路図である。
【図７】本発明の第４の実施例に係るパワーモニタ回路の回路図である。
【図８】本発明の第５の実施例に係るパワーモニタ回路の回路図である。
【図９】本発明の第６の実施例に係るパワーモニタ回路の回路図である。
【図１０】３つの異なるレーザ波長を有する半導体レーザのパワーモニタ回路の回路図である。
【図１１】従来の情報記録再生装置に用いられるパワーモニタ回路の構成を示す回路図である。
【符号の説明】
１８；システムコントローラ、
４０，５０，６０，７０，８０，９０；パワーモニタ回路、
４１，５１，６１，７１，８１，９１；受光素子、
４２，４３，５２，５３，８２，９２；可変増幅器、
６２，６３，７２，７３，８３，９３；可変減衰器、
４４，５４，６４，７４，８４，９４；スイッチ。
【図１】
2005032282.tif 000003
【図２】
2005032282.tif 000004
【図３】
2005032282.tif 000005
【図４】
2005032282.tif 000006
【図５】
2005032282.tif 000007
【図６】
2005032282.tif 000008
【図７】
2005032282.tif 000009
【図８】
2005032282.tif 000010
【図９】
2005032282.tif 000011
【図１０】
2005032282.tif 000012
【図１１】
2005032282.tif 000013